(57)【特許請求の範囲】
【請求項１】
移動通信網から通信サービスを受ける移動通信端末であって、
通話機能、電子メッセージ通信機能およびブラウザ機能を含む複数の通信機能を選択的に実行可能な通信制御手段であって、前記複数の通信機能を実行中に、ユーザに対する操作の促しを行わない状態である１以上の待ち受け状態に移行する機能を備えた通信制御手段と、
前記ブラウザ機能を起動して、前記移動通信網を介して複数のデータソースにユーザの選択に応じてアクセスし、アクセスした当該複数のデータソースから受信された複数の画像データを閲覧表示するアクセス手段と、
前記閲覧表示される複数の画像データの中からユーザが所望する画像データを見つけたときに当該ユーザによって選択された画像データを、各々前記１以上の待ち受け状態のいずれかに対応付け可能にされている複数の記憶エリアの中の１の記憶エリアに記憶する登録制御手段と、
前記１の記憶エリアを、前記１以上の待ち受け状態の中から選択された１の待ち受け状態と動的に対応付ける対応関係制御手段と、
前記移動端末が選択された前記１の待ち受け状態へ移行した場合に、当該選択された１の待ち受け状態に対応付けられた前記１の記憶エリアから前記１の画像データを読み出し、表示する表示制御手段と
を備えることを特徴とする移動通信端末。
【請求項２】
前記データソースは前記移動通信網の外部に位置し、少なくとも１の公衆データ通信網を介して前記移動通信網に接続可能である
ことを特徴とする請求項１に記載の移動通信端末。
【請求項３】
前記データソースは他の移動通信端末である
ことを特徴とする請求項１に記載の移動通信端末。
【請求項４】
前記データソースは情報提供を行うサーバである
ことを特徴とする請求項１に記載の移動通信端末。
【請求項５】
前記登録制御手段は、前記選択された１の画像データに伴う属性データに基づき、当該１の画像データが記録可能か否かの判定を行う
ことを特徴とする請求項１に記載の移動通信端末。
【請求項６】
前記属性データは、前記選択された１の画像データのサイズを示すデータを含む
ことを特徴とする請求項５に記載の移動通信端末。
【請求項７】
前記属性データは、著作権の保護に関するデータを含む
ことを特徴とする請求項５に記載の移動通信端末。
【請求項８】
前記属性データは、前記選択された１の画像データが受信される際に経由した通信網の識別子を示すデータを含む
ことを特徴とする請求項５に記載の移動通信端末。
【請求項９】
前記属性データは、前記選択された１の画像データの暗号化に関するデータを含む
ことを特徴とする請求項５に記載の移動通信端末。
【請求項１０】
前記表示制御手段は、１の待ち受け状態において、異なる画像データを選択的に表示する
ことを特徴とする請求項１に記載の移動通信端末。
【請求項１１】
前記表示制御手段は、１の待ち受け状態において、異なる画像データをランダムに表示する
ことを特徴とする請求項１０に記載の移動通信端末。
【請求項１２】
前記表示制御手段は、１の待ち受け状態において、異なる画像データを定期的に巡回するように表示する
ことを特徴とする請求項１０に記載の移動通信端末。
【請求項１３】
前記１以上の待ち受け状態は、自機に対する呼出の到来もしくはユーザによるキー操作を待機する待ち受け状態を含む
ことを特徴とする請求項１に記載の移動通信端末。
【請求項１４】
前記１以上の待ち受け状態は、前記データソースからデータのダウンロードを行う待ち受け状態を含む
ことを特徴とする請求項１に記載の移動通信端末。
【請求項１５】
前記１以上の待ち受け状態は、電子メールの受信を行う待ち受け状態を含む
ことを特徴とする請求項１に記載の移動通信端末。
【請求項１６】
前記表示制御手段は、現在の待ち受け状態から他の状態への移行のトリガとなるイベントの発生までの間、前記表示制御手段による画像データに応じた表示を維持させる
ことを特徴とする請求項１に記載の移動通信端末。
【請求項１７】
前記選択された１の画像データは、加工されて表示される
ことを特徴とする請求項１に記載の移動通信端末。
【請求項１８】
前記加工は、前記選択された１の画像データにより示される画像のサイズを調整する加工である
ことを特徴とする請求項１７に記載の移動通信端末。
【請求項１９】
前記加工は、前記選択された１の画像データにより示される画像を繰り返し並べて表示させるための加工である
ことを特徴とする請求項１７に記載の移動通信端末。
【請求項２０】
前記加工は、前記選択された１の画像データにより示される画像を自機のディスプレイの所定位置に表示させるための加工である
ことを特徴とする請求項１７に記載の移動通信端末。
【発明の詳細な説明】
【０００１】
［発明の名称］
移動通信端末
【０００２】
［技術分野］
この発明は、例えば携帯電話機のような移動通信端末に関する。
【０００３】
［技術背景］
携帯電話機等の移動通信端末は、例えば着信を待機している状態（以下、着信待ち受け状態）において、液晶ディスプレイに着信待ち受け画面を表示している。
【０００４】
この着信待ち受け画面は、移動通信端末内のメモリに記憶されたデータに基づいて表示される。しかしながら、その着信待ち受け画面の種類は、製品出荷時に予めメモリに記憶されたものに限られており、ユーザにとっては面白味に欠けるものであった。
【０００５】
［発明の開示］
この発明は、表示部に着信待ち受け画面等の用途で表示される画像をユーザが簡易にカスタマイズすることができる移動通信端末を提供することを目的とする。
【０００６】
この目的を解決するため、この発明は、移動通信網から通信サービスを受ける移動通信端末であって、通話機能、電子メッセージ通信機能およびブラウザ機能を含む複数の通信機能を選択的に実行可能な通信制御手段であって、前記複数の通信機能を実行中に、ユーザに対する操作の促しを行わない状態である１以上の待ち受け状態に移行する機能を備えた通信制御手段と、前記ブラウザ機能を起動して、前記移動通信網を介して複数のデータソースにユーザの選択に応じてアクセスし、アクセスした当該複数のデータソースから受信された複数の画像データを閲覧表示するアクセス手段と、前記閲覧表示される複数の画像データの中からユーザが所望する画像データを見つけたときに当該ユーザによって選択された画像データを、各々前記１以上の待ち受け状態のいずれかに対応付け可能にされている複数の記憶エリアの中の１の記憶エリアに記憶する登録制御手段と、前記１の記憶エリアを、前記１以上の待ち受け状態の中から選択された１の待ち受け状態と動的に対応付ける対応関係制御手段と、前記移動端末が選択された前記１の待ち受け状態へ移行した場合に、当該選択された１の待ち受け状態に対応付けられた前記１の記憶エリアから前記１の画像データを読み出し、表示する表示制御手段とを備えることを特徴とする移動通信端末を提供する。
【０００７】
好ましい態様において、前記データソースは前記移動通信網の外部に位置し、少なくとも１の公衆データ通信網を介して前記移動通信網に接続可能であるように構成されてもよい。
【０００８】
他の好ましい態様において、前記データソースは他の移動通信端末であるように構成されてもよい。
【０００９】
また、他の好ましい態様において、前記データソースは情報提供を行うサーバであるように構成されてもよい。
【００１０】
また、他の好ましい態様において、前記登録制御手段は、前記選択された１の画像データに伴う属性データに基づき、当該１の画像データが記録可能か否かの判定を行うように構成されてもよい。
【００１１】
当該他の好ましい態様において、前記属性データは、前記選択された１の画像データのサイズを示すデータを含むように構成されてもよい。
【００１２】
当該他の好ましい態様において、前記属性データは、著作権の保護に関するデータを含むように構成されてもよい。
【００１３】
当該他の好ましい態様において、前記属性データは、前記選択された１の画像データが受信される際に経由した通信網の識別子を示すデータを含むように構成されてもよい。
【００１４】
当該他の好ましい態様において、前記属性データは、前記選択された１の画像データの暗号化に関するデータを含むように構成されてもよい。
【００１５】
また、他の好ましい態様において、前記表示制御手段は、１の待ち受け状態において、異なる画像データを選択的に表示するように構成されてもよい。
【００１６】
また、他の好ましい態様において、前記表示制御手段は、１の待ち受け状態において、異なる画像データをランダムに表示するように構成されてもよい。
【００１７】
当該他の好ましい態様において、前記表示制御手段は、１の待ち受け状態において、異なる画像データを定期的に巡回するように表示するように構成されてもよい。
【００１８】
また、他の好ましい態様において、前記１以上の待ち受け状態は、自機に対する呼出の到来もしくはユーザによるキー操作を待機する待ち受け状態を含むように構成されてもよい。
【００１９】
また、他の好ましい態様において、前記１以上の待ち受け状態は、前記データソースからデータのダウンロードを行う待ち受け状態を含むように構成されてもよい。
【００２０】
また、他の好ましい態様において、前記１以上の待ち受け状態は、電子メールの受信を行う待ち受け状態を含むように構成されてもよい。
【００２１】
また、他の好ましい態様において、前記表示制御手段は、現在の待ち受け状態から他の状態への移行のトリガとなるイベントの発生までの間、前記表示制御手段による画像データに応じた表示を維持させるように構成されてもよい。
【００２２】
また、他の好ましい態様において、前記選択された１の画像データは、加工されて表示されるように構成されてもよい。
【００２３】
当該他の好ましい態様において、前記加工は、前記選択された１の画像データにより示される画像のサイズを調整する加工であるように構成されてもよい。
【００２４】
当該他の好ましい態様において、前記加工は、前記選択された１の画像データにより示される画像を繰り返し並べて表示させるための加工であるように構成されてもよい。
【００２５】
当該他の好ましい態様において、前記加工は、前記選択された１の画像データにより示される画像を自機のディスプレイの所定位置に表示させるための加工であるように構成されてもよい。
【００２６】
［図面の簡単な説明］
図１は、この発明の一実施形態に係る移動局を用いた移動通信システムの構成を示すブロック図である。
図２は、同実施形態におけるゲートウェイサーバ３４の構成を示すブロック図である。
図３は、同実施形態における移動局１００の構成を示すブロック図である。
図４は、同実施形態におけるＳＲＡＭ１３５の記憶内容を示すメモリマップを示す図である。
図５は、同実施形態におけるＣＰＵ１１０が実行するメインルーチンのフローチャート図である。
図６は、同実施形態におけるＣＰＵ１１０が実行するメニュー表示ルーチンのフローチャート図である。
図７は、同実施形態におけるＣＰＵ１１０が実行するサイトアクセスルーチンのフローチャート図である。
図８は、同実施形態におけるＣＰＵ１１０が実行する表示画面登録ルーチンのフローチャート図である。
図９は、同実施形態におけるＣＰＵ１１０が実行する待ち受け画面設定ルーチンのフローチャート図である。
図１０Ａ乃至図１０Ｋはそれぞれ、同実施形態における各ルーチンの実行中に液晶ディスプレイに表示される画面を示す図である。
図１１Ａは、同実施形態における待ち受け画面設定後の中央表示の具体的な表示例を示す図である。
図１１Ｂは、同実施形態における待ち受け画面設定後の全画面表示の具体的な表示例を示す図である。
図１２は、別の実施形態における移動局１０１及びＳＩＭカード１９０の構成を示すブロック図である。
図１３は、上記別の実施形態においてサイト画面データを記憶可能な移動局１０１と記憶不可能な移動局１０１とを説明する図である。
図１４は、この発明の実施形態における他端末を含む移動通信システムの全体構成を示すブロック図である。
【００２７】
［発明を実施するための最良の形態］
この発明の好ましい形態について、以下、添付図面を参照しながら詳細に説明する。
【００２８】
図１は、この発明の一実施形態に係る移動局を用いた移動通信システム全体の構成を示す図である。
【００２９】
この移動通信システムは、移動局１００（移動通信端末）、移動電話網２０、移動パケット通信網３０、インターネット４０、ＩＰサーバ５０Ａ、５０Ｂを備えている。以下、移動パケット通信網３０と移動電話網２０とを総称して移動通信網と呼ぶ。そして、ＩＰサーバ５０Ａ、５０Ｂを、いずれか一方に特定する必要がある場合を除き、ＩＰサーバ５０と呼ぶ。
【００３０】
移動局１００は、例えば携帯電話機であり、移動電話網２０及び移動パケット通信網３０に接続可能である。この移動局１００の構成については後述する。
【００３１】
移動電話網２０は、移動局１００に対して通話サービスを提供するための通信網であり、移動局１００は、この移動電話網２０、もしくは、該網２０及び図示しない固定電話網を介して通話サービスを受けることができる。
【００３２】
この移動電話網２０は、通話エリア内に所定の間隔で設置された多数の基地局３１、回線交換サービスを行う交換局（図示せず）、網内を制御する制御局（図示せず）、これら各局を結ぶ通信線（図示せず）を備えている。
【００３３】
移動パケット通信網３０は、上述の基地局３１、交換局、制御局等の他、パケット加入者処理装置３３、ゲートウェイサーバ３４、加入者データベース３５及びこれらを結ぶ通信線（図示せず）を備えている。
【００３４】
パケット加入者処理装置３３は、複数の基地局３１を収容するパケット加入者交換局（図示せず）に備えられたコンピュータシステムであり、移動局１００からのパケット交換要求を受け付けると共に、移動パケット通信網３０内におけるパケット交換を中継する。
【００３５】
ゲートウェイサーバ３４は、移動パケット通信網３０をインターネット４０等の他のネットワークと相互接続するための移動パケット関門中継交換局（図示せず）に備えられたコンピュータシステムであり、複数のネットワーク間で異なる通信プロトコルの変換を行いつつ上記ネットワーク間のデータ授受を仲介する。具体的には、ゲートウェイサーバ３４は、移動パケット通信網３０用の伝送プロトコルと、インターネット４０の標準通信プロトコルであるＴＣＰ／ＩＰとの相互変換を行いながらネットワーク間のデータ授受を仲介する。
【００３６】
そして、ゲートウェイサーバ３４は、移動局１００やＩＰサーバ５０間で電子メールや種々のデータの送受信を仲介する等の情報配信サービスを行う。このサービスを行うため、ゲートウェイサーバ３４は、配信される電子メールを格納するメールボックスとしての記憶エリアを有するメモリを備える。このメールボックス内では、移動パケット通信サービスの各加入者宛の電子メールを記憶するアドレス（以下、メールボックスアドレスと呼ぶ）が加入者毎に定められている。
【００３７】
加入者データベース３５は、移動パケット通信網３０の加入者に関する登録情報を格納する。この登録情報は、例えば、移動局１００の「電話番号」、加入者の「氏名」、「性別」、「生年月日」、「メールボックスアドレス」等である。
【００３８】
ＩＰサーバ５０は、ＩＰ（Information  Provider）が運用するサーバシステムである。このＩＰサーバ５０は、例えばホームページ等のサイト画面データを、ユーザに提供すべき情報としてＨＴＭＬ(Hyper  Text  Markup  Language)形式で保持している。
【００３９】
このＩＰサーバ５０は、図１に示すようにインターネット５０を介してゲートウェイサーバ３４に接続される他、専用線を介してゲートウェイサーバ３４に接続されていてもよいし、ゲートウェイサーバ３４の内部に設けられていてもよい。
【００４０】
次に、ゲートウェイサーバ３４の構成について詳述する。
【００４１】
図２は、ゲートウェイサーバ３４の構成を示すブロック図である。同図に示すように、ゲートウェイサーバ３４は、制御部３４１、加入者情報管理部３４２、データ配信管理部３４３、これらを結ぶバス３４４を備えている。
【００４２】
制御部３４１は、ゲートウェイサーバ３４の各部を制御することにより、移動パケット通信網３０とインターネット４０等の他のネットワークとの間のプロトコル変換を行うなど、ネットワーク間のインタフェースとして機能する。
【００４３】
加入者情報管理部３４２は、加入者データベース３５を参照することにより得られる登録情報を記憶している。
【００４４】
データ配信管理部３４３は、前述したメールボックスとしての記憶エリアを有するメモリを備えるほか、移動局１００どうしの間、移動局１００とインターネット４０上の端末（図示せず）との間、移動局１００とＩＰサーバ５０との間で電子メールやデータの配信を仲介する。
【００４５】
そして、データ配信管理部３４３は、移動局１００のユーザに対して各種サービスのメニュー項目を提示するためのメニュー画面データを記憶しており、このデータを移動局１００からのリクエストに応じて送信する。このメニュー画面データはＨＴＭＬ形式のデータであり、各メニュー項目には当該メニューに対応したサービスを実行するＩＰサーバ５０のＵＲＬ（Uniform  Resource  Locator）が対応付けられている。
【００４６】
ユーザが移動局１００を用いて特定のサービスを要求する場合、移動局１００は、そのサービスに対応したメニュー項目に対応付けられているＵＲＬをゲートウェイサーバ３４に送信し、ゲートウェイサーバ３４は受信したＵＲＬに基づいてそのサービスを実行するＩＰサーバ５０にアクセスする。
【００４７】
次に、移動局１００の構成を説明する。
【００４８】
図３は、移動局１００の構成を示すブロック図である。同図において、移動局１００は、この移動局１００全体を統括・制御して各プログラムを実行するＣＰＵ１１０（表示制御部、記録部、記録可否判定部、選択部）、ＣＰＵ１１０のワークエリア等として用いられるＲＡＭ１２０、所定の制御プログラム等が格納されたＲＯＭ１３０、図示せぬバックアップ電源から電力供給を受けることにより種々の画面データ等を記憶するＳＲＡＭ１３５（不揮発性メモリ）、移動通信網の基地局と無線通信を行う送受信装置１４０（通信部）、文字や画像を表示するための液晶ディスプレイやユーザが入力操作を行うためのキーパッドを含むユーザインタフェース１５０（表示部）及び、これらを相互に接続するバス１６０を備えている。
【００４９】
ここで、この移動局１００は、移動電話網２０を介して通話を行うための「通話モード」と、移動パケット通信網３０を介してパケット通信を行うための「パケット通信モード」との少なくとも２種類のモード設定が可能である。
【００５０】
パケット通信モードにおいて、移動局１００は、電子メールの送受信やＩＰサーバ５０からデータをダウンロードすることが可能である。
【００５１】
ユーザインタフェース１５０のキーパッドには、「機能ボタン」（図示せず）というキーが備えられている。ユーザがこの機能ボタンを押下すると、移動局１００は、移動パケット通信網３０に要求信号を送出することによりパケット通信モードとなり、ゲートウェイサーバ３４にアクセスしてメニュー画面データを取得し、液晶ディスプレイに表示する。
【００５２】
ＲＯＭ１３０は、通話機能に関するプログラム等の、ＣＰＵ１１０が実行する種々の制御プログラムを記憶している。
【００５３】
この制御プログラムには、文書データ閲覧用ソフトウェア、いわゆるブラウザのほか、後述する種々のルーチンを実行するためのプログラムが含まれる。
【００５４】
ＣＰＵ１１０は、ブラウザをＲＯＭ１３０から読みだして実行することにより、ＩＰサーバ５０にアクセスしてＨＴＭＬ形式のデータ（以下、ＨＴＭＬデータと呼ぶ）を取得する。具体的には、移動局１００のＣＰＵ１１０は、ＵＲＬを指定したデータ取得要求を送受信装置１４０を介してＩＰサーバ５０に送信し、これに対応してＩＰサーバ５０から送信されてくるＨＴＭＬデータをＲＡＭ１２０に格納する。さらに、ＣＰＵ１１０は、ＲＡＭ１２０に格納されているＨＴＭＬデータを解釈して、液晶ディスプレイに表示する。
【００５５】
次に、上述したＳＲＡＭ１３５の構成について説明する。
【００５６】
図４は、ＳＲＡＭ１３５の記憶内容を示すメモリマップを示す図である。同図において、ＳＲＡＭ１３５には、予め用意されたデフォルトの待ち受け画面データが第１の画面データとして、ＳＲＡＭ１３５内のアドレス「Ａ０００１」の位置から記録されている。そして、ＳＲＡＭ１３５には、ＣＰＵ１１０が待ち受け画面を液晶ディスプレイに表示させる際にこのアドレス「Ａ０００１」を参照して第１の画面データを読み出すように、読み出しアドレスが初期設定されている。
【００５７】
さらに、ＳＲＡＭ１３５には、ＩＰサーバ５０からダウンロードされたサイト画面データが、第２の画面データとしてアドレス「Ｘ０００１」の位置から記録される。このサイト画面データを記録する処理は、後述する「表示画面登録」のメニューを選択することにより実行されるようになっている。
【００５８】
ユーザからの要求により第２の画面データが待ち受け画面として設定された場合、前述のアドレス「Ａ０００１」に代えてこのアドレス「Ｘ０００１」が、読み出しアドレスとして再設定される。
【００５９】
ここで、ＩＰサーバ５０から提供されるサイト画面データには、そのサイト画面データのサイズを示すデータサイズ情報や、無断複写が認められていない著作物であることを示す著作権情報（例えば、著作物であることを示す特定のコード）が付加されている。
【００６０】
ＣＰＵ１１０は、サイト画面データに含まれるデータサイズ情報とＳＲＡＭ１３５の空き容量とを考慮して、そのサイト画面データをＳＲＡＭ１３５に記録するか否かを判定する。即ち、データサイズ情報が示すサイズ以上の空き容量がＳＲＡＭ１３５にない場合には、記憶不可と判定される。
【００６１】
さらに、ＣＰＵ１１０は、サイト画面データ内の著作権情報の有無を検出して、そのサイト画面データをＳＲＡＭ１３５に記録するか否かを判定する。即ち、著作権情報が検出された場合には、記憶不可と判定される。
【００６２】
以下、図５〜図１０Ｋを参照し、上記構成からなる実施形態の動作を説明する。
【００６３】
図５は、ＣＰＵ１１０が実行するメインルーチンを示すフローチャートであり、図６は、ＣＰＵ１１０が実行するメニュー表示ルーチンを示すフローチャートであり、図７は、ＣＰＵ１１０が実行するサイトアクセスルーチンを示すフローチャートであり、図８は、ＣＰＵ１１０が実行する表示画面登録ルーチンを示すフローチャートであり、図９は、ＣＰＵ１１０が実行する待ち受け画面設定ルーチンを示すフローチャートである。
【００６４】
図１０Ａ乃至図１０Ｋはそれぞれ、上記各ルーチンの実行中に移動局１００の液晶ディスプレイに表示される画面を示す図である。
【００６５】
まず、移動局１００の電源が投入されると、ＣＰＵ１１０はＲＯＭ１３０から制御プログラムを読み出し、図５に示すメインルーチンを起動する。
【００６６】
ステップＳＰ１では、ＣＰＵ１１０は、ＳＲＡＭ１３５のアドレス「Ａ０００１」から第１の画面データを読み出し、待ち受け画面として液晶ディスプレイに表示させる。図１０Ａは、このとき液晶ディスプレイに表示される待ち受け画面を示す図である。
【００６７】
次いで、ステップＳＰ２では、ＣＰＵ１１０は、ユーザ入力や着呼等のイベントがあるか否かを判定する。
【００６８】
その判定の結果、ノーであれば（即ち、イベントがなければ）、ＣＰＵ１１０は、ステップＳＰ１の待ち受け画面表示の処理を繰り返す。
【００６９】
その判定の結果がイエスであれば（即ち、イベントがあれば）、ステップＳＰ３に進み、ＣＰＵ１１０は、そのイベントに対応した処理を実行する。このステップＳＰ３のイベント対応処理には、例えば、発呼又は着呼による通話モードでの処理や、機能ボタン押下によるパケット通信モードでの処理がある。
【００７０】
そして、ステップＳＰ３のイベント対応処理が終了すると、ステップＳＰ１に戻り、ＣＰＵ１１０は再び液晶ディスプレイに待ち受け画面を表示させる。
【００７１】
電源投入後、機能ボタンが押下されると、前述のステップＳＰ３で、ＣＰＵ１１０は、図６に示すメニュー表示ルーチンを起動する。
【００７２】
まず、ステップＳＰ１１で、ＣＰＵ１１０は、送受信装置１４０を介して移動パケット通信網３０にパケット通信の要求信号を送出する。これにより、移動局１００はパケット通信モードとなり、ゲートウェイサーバ３４からメニュー画面データが送られてくる。
【００７３】
ステップＳＰ１２では、ＣＰＵ１１０は、受信したメニュー画面データを解釈して、液晶ディスプレイに表示する。
【００７４】
図１０Ｂは、このとき液晶ディスプレイに表示されるメニュー画面を示す図である。同図に示すように、表示されるメニュー項目には、液晶ディスプレイに表示されている画面をＳＲＡＭ１３５に記録するための「(1)表示画面登録」、金融機関とオンライン取り引きを行うための「(2)モバイルバンキング」、電子メールサービスを行うための「(3)電子メール」、ＵＲＬを指定することによりユーザの所望のサイト（例えばＩＰサーバ５０）にアクセスする「(4)インターネット」、ＩＰサーバ５０等のサイトからダウンロードしたサイト画面データを、待ち受け画面として表示させるための「(5)待ち受け画面設定」等がある。
【００７５】
再び、図６に戻り、動作フローの説明を行う。
【００７６】
ステップＳＰ１３において、ＣＰＵ１１０は、液晶ディスプレイに表示されたメニュー項目の中からユーザにより特定のメニュー項目が選択されたか否かを判定する。例えば、ユーザは液晶ディスプレイ上のカーソルをキー操作により所望のメニュー項目上に移動させ、さらに、そのメニュー項目を選択するキー操作を行えばよい。
【００７７】
そして、その判定の結果がノーであれば（即ち、メニュー選択がなければ）、ＣＰＵ１１０は、ステップＳＰ１２のメニュー画面表示の処理を繰り返す。
【００７８】
その判定の結果がイエスであれば（即ち、メニュー選択があれば）、ステップＳＰ１４に進み、ＣＰＵ１１０は、選択されたメニューに対応する処理を実行する。
【００７９】
ステップＳＰ１４のメニュー対応処理が終了すると、このメニュー表示ルーチンは終了し、前述したメインルーチンに戻る。
【００８０】
例えば、前述のメニュー表示状態において、ユーザにより「(4)インターネット」のメニュー項目が選択され、ＩＰサーバ５０等の所望のサイトへのアクセスが指示されると、ステップＳＰ１３における判定結果がＹＥＳとなり、ＣＰＵ１１０の処理はステップＳＰ１４に進む。
【００８１】
そして、ＣＰＵ１１０は、図７に示すサイトアクセスルーチンを起動する。
【００８２】
まず、ステップＳＰ２１で、ＣＰＵ１１０は、ユーザにより指定されたＵＲＬを送出することにより、ゲートウェイサーバ３４を介してそのＵＲＬに対応するサイトにアクセスし、サイト画面データを受信する。
【００８３】
ステップＳＰ２２では、ＣＰＵ１１０は、受信したサイト画面データを解釈して、液晶ディスプレイに表示させる。図１０Ｃは、このとき液晶ディスプレイに表示されるサイト画面の図である。
【００８４】
ステップＳＰ２３では、ＣＰＵ１１０は、サイト画面を表示した状態で、ユーザによる入力操作等のイベントがあるか否かを判定する。
【００８５】
その判定の結果がノーであれば、ＣＰＵ１１０は、ステップＳＰ２２のサイト画面表示の処理を繰り返す。
【００８６】
その判定の結果がイエスであれば、ステップＳＰ２４に進み、ＣＰＵ１１０は、そのイベントに対応した処理を実行する。
【００８７】
ステップＳＰ２４のイベント対応処理が終了すると、このサイトアクセスルーチンは終了し、前述したメニュー表示ルーチンに戻る。
【００８８】
図７のステップＳＰ２２のサイト画面表示状態において、ユーザにより機能ボタンが押下されると、ステップＳＰ２３の判定結果がＹＥＳとなり、ステップＳＰ２４に進む。そして、ＣＰＵ１１０は、サイト画面データをＲＡＭ１２０の一時待避エリアに待避させ、図１０Ｄに示すメニュー画面を表示する。
【００８９】
ここで、ユーザにより「(1)表示画面登録」が選択されると、ＣＰＵ１１０は、図８に示す表示画面登録ルーチンを起動する。
【００９０】
ステップＳＰ３１で、ＣＰＵ１０は、待避させたサイト画面データを記録可能か否かを判定する。ここで、ＣＰＵ１１０は、前述したように、サイト画面データに含まれるデータサイズ情報とＳＲＡＭ１３５の空き容量とを考慮して、この判定処理を行う。さらに、ＣＰＵ１１０は、サイト画面データ内の著作権情報の有無を検出することにより、この判定処理を行う。
【００９１】
この判定の結果がイエスであれば（即ち、記憶可能であれば）、ステップＳＰ３２に進み、ＣＰＵ１１０は、ＲＡＭ１２０の待避エリアにあるサイト画面データをＳＲＡＭ１３５に転送し、アドレス「Ｘ０００１」から記録する。図１０Ｅは、サイト画面データを記録中に表示される画面を示す図である。
【００９２】
この記録処理が完了すると、ステップＳＰ３３に進み、ＣＰＵ１１０は、液晶ディスプレイに表示画面の登録が完了したことを示す登録完了通知を表示させる。図１０Ｆは、このとき表示される登録完了通知を示す図である。
【００９３】
ステップＳＰ３１の判定の結果がノーであれば（即ち、記憶不可であれば）、ステップＳＰ３４に進み、ＣＰＵ１１０は、記憶不可通知を液晶ディスプレイに表示させる。図１０Ｇは、このとき表示される記憶不可通知を示す図である。
【００９４】
このような処理が行われた後、ＣＰＵ１１０の処理は図５に示すメインルーチンに戻る。
【００９５】
図５に示すメインルーチンのステップＳＰ２において機能ボタンが押下されると図６に示すメニュー表示ルーチンが実行され、再度、図１０Ｈに示すメニュー画面の表示状態に遷移する。このメニュー画面上でユーザにより「待ち受け画面設定」が選択されると、図６のステップＳＰ１４で、待ち受け画面設定ルーチンが起動される。
【００９６】
図９に示す待ち受け画面設定ルーチンのステップＳＰ４１において、ＣＰＵ１１０は、以下に述べる待ち受け画面設定処理を行う。まず、ＣＰＵ１１０は、ユーザが待ち受け画面の表示形式を選択するための画面を液晶ディスプレイに表示させる。
【００９７】
図１０Ｉは、このとき液晶ディスプレイに表示される画面を示す図である。
【００９８】
同図に示すように、待ち受け画面の表示形式には、「(1)中央表示」及び「(2)全画面表示」がある。
【００９９】
「(1)中央表示」とは、ＳＲＡＭ１３５に記録されているサイト画面データが液晶ディスプレイの大きさに応じてスケーリングされ、そのディスプレイの中央に表示される状態をいう。また、「(2)全画面表示」とは、ＳＲＡＭ１３５に記録されている画面データの繰り返しパターンが液晶ディスプレイの全面にわたって表示される状態である。図１１Ａは、中央表示の具体例を示す図であり、図１１Ｂは、全画面表示の具体例を示す図である。
【０１００】
表示形式が設定されると、ＣＰＵ１１０は、待ち受け画面の読み出しアドレスを再設定する処理を行う。つまり、前述したように、待ち受け画面データの読み出しアドレスを、初期設定である第１の画面データのアドレス「Ａ０００１」から、第２の画面データのアドレス「Ｘ０００１」に変更するのである。
【０１０１】
このような処理が終了するとステップＳＰ４２に進み、ＣＰＵ１１０は、待ち受け画面の設定する処理が完了したことを示す処理完了通知を液晶ディスプレイに表示させる。図１０Ｊは、このとき液晶ディスプレイに表示される画面を示す図である。
【０１０２】
その後、ＣＰＵ１１０の処理は、図５に示すメインルーチンに戻る。そして、同図のステップＳＰ１では、待ち受け画面として、新たに設定された第２の画面データがＳＲＡＭ１３５から読み出され、待ち受け画面として液晶ディスプレイに表示される。図１０Ｋは、このとき表示される待ち受け画面を示す図である。
【０１０３】
以上説明した実施形態によれば、移動局１００は、ユーザの所望のサイトからサイト画面データを受信・記憶し、それを待ち受け画面として液晶ディスプレイに表示することが可能となる。
【０１０４】
ところで、ＧＳＭ（Global  System  For  Mobile  Communications）方式では、いわゆるＳＩＭ（Subscriber  Identification  Module）カードを収容する移動局が用いられる。
【０１０５】
図１２は、ＧＳＭ方式に従う移動局１０１及びＳＩＭカード１９０（記憶媒体）の構成を示すブロック図である。同図において、図３に示す移動局１００と共通する構成要素については、図３と同一の符号を付して説明を省略する。
【０１０６】
図１２に示す移動局１０１が図３と異なる点は、ＳＩＭカード１９０と接続するためのＳＩＭインタフェース１８０（接続部）を備えている点である。
【０１０７】
一方、ＳＩＭカード１９０は、絶縁性の合成樹脂基盤に埋め込まれたＩＣチップ（図示略）や、基盤表面に設けられた接続用電極（図示略）等から構成されている。このＩＣチップに搭載されるフラッシュメモリには、移動通信網を介して通信を行うために必要な通信設定情報が記憶されている。この通信設定情報には、例えばＧＳＭの場合、移動通信事業者を識別するためのＩＭＳＩ（International  Mobile  Subscription  Identity）、複数の移動通信網への接続が可能な場合にその接続順位を定めるためのＰＬＭＮ（Public  Land  Mobile  Network）セレクター、自身の電話番号であるＭＳＩＳＤＮ（Mobile  Station  International  ISDN  Number）及び、ＳＭＳ（Short  Message  Service）と呼ばれるメッセージサービスを行うために必要なパラメータ等がある。移動局１０１のＣＰＵ１１０（読み出し部）は、ＳＩＭインタフェース１８０を介してＳＩＭカード１９０上の通信設定情報を読み出すことにより、音声通信やデータ通信を行うようになっている。
【０１０８】
ここで、ＩＰサーバ５０が提供するサイト画面データは、ある特定の通信事業者の移動通信網を経由して移動局１０１にダウンロードされた場合のみ、ＳＲＡＭ１３５内に着信待ち受け画面として記憶できるようになっている。
【０１０９】
図１３を参照しながらこの一例について説明する。
【０１１０】
同図において、ＩＰサーバ５０が提供するサイト画面データは通信事業者Ａの移動通信網３０Ａを経由してダウンロードされた場合のみ、ＳＲＡＭ１３５に記憶できるものとする。この場合、上記サイト画面データには、通信事業者Ａを特定するためのＩＭＳＩ（例えばａａａとする）が含まれている。
【０１１１】
一方、前述したように、移動局１０１のＳＩＭカード１９０にもＩＭＳＩが記憶されている。即ち、通信事業者Ａの移動通信網３０Ａに収容される移動局１０１ａのＳＩＭカード１９０には通信事業者ＡのＩＭＳＩ（ａａａ）が記憶されており、通信事業者Ｂの移動通信網３０Ｂに収容される移動局１０１ｂのＳＩＭカード１９０には通信事業者ＢのＩＭＳＩ（ｂｂｂとする）が記憶されている。各移動局１０１ａ、１０１ｂは、ダウンロードしたサイト画面データに含まれるＩＭＳＩと、自身のＳＩＭカード１９０に記憶されているＩＭＳＩとを参照し、それらが一致するときはＳＲＡＭ１３５に記憶するし、一致しないときは記憶しない。即ち、移動局１０１ａは、ＩＰサーバ５０が提供するサイト画面データを着信待ち受け画面として記憶可能であるが、移動局１０１ｂは、上記サイト画面データをブラウジングすることはできるが、それを着信待ち受け画面として記憶することはできないことになる。
【０１１２】
ここで、サイト画面データを記憶するか否かを判断する基準は、上記ＩＭＳＩに限らない。例えば、ＳＩＭカード１９０を含む全てのＩＣカードのそれぞれに固有のＩＣＣＩＤ（IC  Card  Identification）を判断基準としてもよい。即ち、サイト画面データには、当該データを記憶することが許可されたＳＩＭカード１９０に対応する５ＩＣＣＩＤが予め含まれており、移動局１０１ａ、１０１ｂは、ダウンロードしたサイト画面データに含まれるＩＣＣＩＤと、自身のＳＩＭカード１９０に記憶されているＩＣＣＩＤとを参照し、それらが一致する場合のみ、サイト画面データをＳＲＡＭ１３５に記憶する。また、例えば、サイト画面データが通信事業者Ａに対応した暗号鍵により暗号化されて移動局１０１に送信される場合、その暗号化されたデータを復号するための復号鍵を、通信事業者Ａに対応したＳＩＭカード１９０に記憶させておく。そして、移動局１０１は、ダウンロードしたサイト画面データに対応する復号鍵の有無により、記憶可否を判断すればよい。また、復号鍵の有無を参照して記憶可否を判断するのではなく、ダウンロードしたサイト画面データをＳＩＭカード１９０に記憶された復号鍵により復号できなければ、サイト画面データをＳＲＡＭ１３５に記憶しないようにしてもよい。
【０１１３】
なお、このようなＳＩＭカード１９０を用いた実施形態は、ＧＳＭに限らず、ＩＭＴ（International  Mobile  Telecommunication）２０００や、ＤＣＳ（Digital  Communications  Service）１８００や、ＰＣＳ（Personal  Communications  Service）１９００等の通信方式においても採用可能である。
【０１１４】
上述の実施形態においては、「(1)表示画面登録」のメニュー選択においてサイト画面データを記録し、さらに「(5)待ち受け画面設定」のメニュー選択において上記記録したサイト画面データを着信待ち受け画面として設定させる構成としたが、この発明は、このようなメニュー構成に限られない。
【０１１５】
例えば、サイト画面が表示されている状態、即ち、サイト画面データがＳＲＡＭ１３５に記録されているのではなく、単にＲＡＭ１２０に一時的に記録されている状態で、ユーザが所定のキー操作を行うと、これに応じてそのサイト画面の記憶処理および待ち受け画面として設定処理の両方を行うなど、種々の態様が考えられる。
【０１１６】
この発明が対象とする「画像データ」とは、静止画に限らず、動画、あるいは動画と静止を混合したデータを含む概念である。例えば、ＧＩＦ（Graphic  Interchange  Format）アニメーションのように複数の静止画を時系列に並べ、これらを連続的に表示させる態様のほか、ＭＰＥＧ４（Moving  Picture  Experts  Groupphase4）方式の動画も含まれる。
【０１１７】
上述の実施形態においては、移動局１００は、着信待ち受け状態において、ＳＲＡＭ１３５に記録されているサイト画面データを表示するものであったが、他の状態中に表示する態様も考えられる。
【０１１８】
例えば、移動局１００がＩＰサーバ５０からデータをダウンロードしている状態において、ＳＲＡＭ１３５に記録されているサイト画面データを、ダウンロード処理中であることを示す画面として表示してもよい。また、移動局１００が他の移動局から電子メールを受信している状態において、ＳＲＡＭ１３５に記録されているサイト画面データを、メール受信中であることを示す画面として表示してもよい。
【０１１９】
上述の実施形態においては、デフォルトの待ち受け画面データのほか、サイト画面データを１種類のみＳＲＡＭ１３５に記憶させて表示する例について説明した。しかし、これに限らず、デフォルトの待ち受け画面データの他に、複数種類のサイト画面データをＳＲＡＭ１３５に記憶させ、この中からユーザが所望するサイト画面データを表示させてもよい。さらに、上述した着信待ち受け状態、ダウンロード状態、電子メール受信状態等の各状態に対してそれぞれ異なるサイト画面データを選択的に表示するようにしてもよい。
【０１２０】
このように複数種類のサイト画面データの中から表示すべきデータを選択する主体は、ユーザに限らない。例えば、移動局１００が、複数種類のサイト画面データを定期的に巡回させて表示するようにしてもよいし、表示すべきデータをランダムに抽出して表示させてもよい。
【０１２１】
上述の実施形態においては、待ち受け画面データは、ＩＰサーバ５０等のサイトから与えられるサイト画面データであったが、これに限定されるわけではない。
【０１２２】
例えば、移動通信網を介して接続される他端末（第２の端末装置）から移動局１００に対し電子メールにより提供される画像データを、待ち受け画面データとしてもよい。ここで、他端末とは、図１４に示すように、移動通信網に収容される別の移動局１０２であってもよいし、インターネット４０に接続されるパーソナルコンピュータ６０であってもよい。この場合、移動局１００は、他端末から電子メールによって取得した画像データを、前述のＩＰサーバ５０から取得したサイト画面データと同様に、表示画面登録処理や待ち受け画面設定処理の対象として取り扱う。また、電子メールに代えてＳＭＳと呼ばれるショートメッセージサービスを用いて画像データをやり取りしてもよい。
【０１２３】
なお、前述したＳＩＭカード１９０を収容する移動局１０１に対して画像データを送信する場合には、データの送信側である他端末が、当該画像データにＩＭＳＩや復号鍵を付加して送信してやればよい。
【０１２４】
移動局１００が備える不揮発性メモリとしては、前述のＳＲＡＭ１３５に限らず、フラッシュメモリやＥＥＰＲＯＭ（Electrically  Erasable  Programmable  Read  Only  Memory）であってもよい。
【０１２５】
この発明の移動通信端末は、上述の携帯電話機やＰＨＳ（Personal  Handyphone  System）端末のような移動局１００に限らない。例えば、データ通信機能に特化したＰＤＡ（Personal  Digital  Assistants）等の、電話機能を有しない移動通信端末であってもよい。
【図１】
0003825639.tif 000002
【図２】
0003825639.tif 000003
【図３】
0003825639.tif 000004
【図４】
0003825639.tif 000005
【図５】
0003825639.tif 000006
【図６】
0003825639.tif 000007
【図７】
0003825639.tif 000008
【図８】
0003825639.tif 000009
【図９】
0003825639.tif 000010
【図１０Ａ】
0003825639.tif 000011
【図１０Ｂ】
0003825639.tif 000012
【図１０Ｃ】
0003825639.tif 000013
【図１０Ｄ】
0003825639.tif 000014
【図１０Ｅ】
0003825639.tif 000015
【図１０Ｆ】
0003825639.tif 000016
【図１０Ｇ】
0003825639.tif 000017
【図１０Ｈ】
0003825639.tif 000018
【図１０Ｉ】
0003825639.tif 000019
【図１０Ｊ】
0003825639.tif 000020
【図１０Ｋ】
0003825639.tif 000021
【図１１Ａ】
0003825639.tif 000022
【図１１Ｂ】
0003825639.tif 000023
【図１２】
0003825639.tif 000024
【図１３】
0003825639.tif 000025
【図１４】
0003825639.tif 000026